(57)【特許請求の範囲】
【請求項１】
庫内の前側から後側に向かう側壁に設けられ、途中に切欠き部を有する棚受けレール部と、
前記棚受けレール上を移動可能に設けられた前棚と、
前記前棚に設けられ、庫内に設置した場合に先端部が前記側壁に向かって突出して前記棚受けレールの下面と当接するように設けられ、前記前棚を後側に移動させた位置で前記先端部が前記切欠き部の後端部と重なる案内形状と、
前記前棚の後側に設けられ、前記棚受けレール上を後方に移動した前記前棚が下側に入り込むことでそれぞれの載置面が重なる後棚とを有し、
前記前棚と前記後棚が重なった状態で前記案内形状を前記切欠き部に挿入することで、前記前棚及び前記後棚を前記棚受けレールに装着可能である冷蔵庫の棚装置。
【請求項２】
前棚の前方移動時に、棚受けレールの切欠き部に当接するようストッパー形状を後棚下方に設けたことを特徴とする請求項１項記載の冷蔵庫の棚装置。
【請求項３】
前棚の前方移動時に、後棚の前壁を当接させる棚受けレール段差部を設けたことを特徴とする請求項１項記載の冷蔵庫の棚装置。
【請求項４】
前棚を前方に配置する状態に、前棚の後壁と後棚の前壁を当接させることを特徴とする請求項１項記載の冷蔵庫の棚装置。
【請求項５】
前棚の後方移動時に、後棚の後壁が当接するよう棚受けレールのレール上にストッパー形状を設けたことを特徴とする請求項１項記載の冷蔵庫の棚装置。
【発明の詳細な説明】
【０００１】
【発明の属する技術分野】
この発明は冷蔵庫の庫内棚に係わり、前後の奥行を伸縮自在として、載置面積を可変としたものに関するものである。
【０００２】
【従来の技術】
図７、図８は例えば特開平１０−３３９５６８号公報に示された従来の庫内棚であり、図７において、１は奥行方向にて移動可能な前棚、１ａは前棚１の下方に形成されるコの字形の案内形状、２は前棚１に連続した面をもつ後方に配置される後棚、２ａは後棚２の下方に形成される回転軸、２ｂは後棚２の下方に形成されるストッパー形状、３は前棚１と後棚２を支持する棚受けレール、３ａは前棚１を後方に移動させた状態（図８）において、前棚１の案内形状１ａと同位置に設けられた棚受けレール３の切欠き部、３ｂは切欠き部３ａを構成する後端部、３ｃは後棚２の回転軸２ａを受ける棚受けレール３の凹部である。
【０００３】
以上の構成において、前棚１の案内形状１ａを棚受けレール３の下側に入り込ませた状態にて、前棚１が棚受けレール３に沿って後棚２の下側へ入り込むかたちにて前後移動自在となり、前棚１と後棚２の上面の載置面積が選択可能となる。
また、図８において、前棚１が後方に移動した状態であり、前棚１と棚受けレール３の係合部１ｂの後面が、後棚２の前壁２ｃと当接した状態であり、前棚１の後方への移動を規制している。さらに、後棚２の後方への移動を後棚２のストッパー形状２ｂを棚受けレール３の切欠き部の後端部３ｃに当接させることで制限する。
【０００４】
また、図８の状態において、前棚１と後棚２の前部を持ち上げ、回転軸３ｃを中心として、前棚１と後棚２を共に図８の状態から時計回りに移動させる（図８点線部）。このとき、前棚１の案内形状１ａが棚受けレール３の切欠き部３ａを通過して上昇すると共に、前棚１と後棚２は背面壁に立てかけられるかたちとなる。
【０００５】
【発明が解決しようとする課題】
以上のように従来の冷蔵庫の伸縮自在棚において、上下方向に複数の棚を配置する冷蔵庫では、棚の上下間隔を狭くした場合に回転軸を設けると回転途中において上段の棚に接合するため、回転軸を設けられない場合がある。また、冷蔵庫の最上段に従来の伸縮自在棚を配置すると棚を回転させても、棚の上部に手が届かなく元に戻せない場合がある。上記の場合、回転軸を設けない奥行方向のみの伸縮自在棚となる。このとき、従来の伸縮自在棚の機構と同じとした場合、前棚を後方に移動させた状態にて、前棚の案内形状が棚受けレールから外れた状態となり、下段の棚から収納品を取り出すときに伸縮自在棚の下面に収納品が接触した場合、伸縮自在棚が棚受けレールから外れてしまうことが生じる。
【０００６】
この発明は以上のような問題点を解決するために成されたもので、伸縮自在棚の上方への移動を規制して棚受けレールからの浮き上がりや外れを防止することを目的とする。
【０００７】
【課題を解決するための手段】
この発明に係る冷蔵庫は、庫内の前側から後側に向かう側壁に設けられ、途中に切欠き部を有する棚受けレール部と、棚受けレール上を移動可能に設けられた前棚と、前棚に設けられ、庫内に設置した場合に先端部が側壁に向かって突出して棚受けレールの下面と当接するように設けられ、前棚を後側に移動させた位置で先端部が切欠き部の後端部と重なる案内形状と、前棚の後側に設けられ、棚受けレール上を後方に移動した前棚が下側に入り込むことでそれぞれの載置面が重なる後棚とを有し、前棚と後棚が重なった状態で案内形状を記切欠き部に挿入することで、前棚及び後棚を棚受けレールに装着可能であるものである。
【０００８】
【０００９】
また、前棚の前方移動時に、棚受けレールの切欠き部に当接するようストッパー形状を後棚下方に設けたものである。
【００１０】
また、前棚の前方移動時に、後棚の前壁を当接させる棚受けレール段差部を設けたものである。
【００１１】
また、前棚を前方に配置する状態に、前棚の後壁と後棚の前壁を当接させるものである。
【００１２】
また、前棚の後方移動時に、後棚の後壁が当接するよう棚受けレールのレール上にストッパー形状を設けたものである。
【００１３】
【発明の実施の形態】
以下この発明の実施の形態を図について説明する。尚、従来と同一部分は同一符号を持って説明を省略する。
実施の形態１．
図１は前後に伸縮自在にて載置面積を可変できる合成樹脂にて成形された伸縮自在棚の前棚１を後方に移動した状態にて、前棚１の案内形状１ａが棚受けレール３の切欠き部３ａを構成する後端部３ｂと重なっている状態を示す縦断側面図である。案内形状１ａは下部が後方または側方へ突出し、案内形状１ａが後端部３ｂに当接した状態では後端部３ｂの下側へ入り込む形状となっている。
【００１４】
棚受けレール３の切欠き部後端部３ｂと前棚１の案内形状部１ａを重ねることにより、前棚１の上方への移動を制限する。前棚１と後棚２が重なっている状態にあるため、後棚２の上方への移動も制限している。摺動可能な前棚１の移動時に後棚２の移動を後棚２の下方のストッパー形状２ｂの前面を棚受けレール３の切欠き部３ａを構成する前端部３ｄと当接させることで前方への移動を制限する。また、後棚２の後端部２ｄと棚受けレール３に設けられるリブ３ｅを当接させることで後方への移動を制限する。３ｇ，３ｈは棚受けレール３の後方に配置される（図省略）風路と接続されている棚受けレール３と内箱４に設けられる風路３ｆ（図２）を通過する冷気を庫内に吹き出す間口である。
【００１５】
図２は伸縮自在棚の前棚１の案内形状１ａと板金製の外箱５と真空成形された合成樹脂製の内箱４の空間にポリウレタンなどの発泡断熱材６を充填した冷蔵庫側壁に配置される合成樹脂製の棚受けレール３の係合状態を示す断面図である。前棚１の案内形状１ａの棚受けレール３の下面内側に入り込むコの字形状により、案内形状１ａを棚受けレール３の下面に当接させることで、前棚１の上方への移動を制限する。３ｆは内箱５と棚受けレール３により構成される風路を示す。
図３は伸縮自在棚の前棚１を移動させた状態を示す縦断側面図である。
【００１６】
次に、前棚１と後棚２から構成される伸縮自在棚の載置面積を変化させる動きについて説明する。図１の状態より図３の状態へ前棚１を前方へ移動させるときに、後棚２の前方への移動を後棚２のストッパー形状２ｂの前面を棚受けレール３の切欠き部前端部３ｄに当接させることで前方への移動の制限して、前棚１だけを前方へ移動可能となる。
【００１７】
また、前棚１を前方に移動させるときに、前棚１の棚受けレール３の係合部１ｂの前面と棚受けレール３に設けられるストッパーリブ３ｉに当接させることにより前方への移動を制限して棚受けレール３からの外れを防止する。さらに、棚受けレール３に前棚１のレール係合部１ｂの後面と一部当接する段差部３ｊを設けることにより、前棚１が収納品等の接触により、簡単に移動することを防止する。
【００１８】
また、前棚１の後壁１ｃの前面部に後棚２の前壁２ｃの後面を当接させることにより、前棚１と後棚２により連続した載置面を設けることができ、後棚２の前方への移動が規制されることで、前棚１を後棚２と当接させることにより、前棚１も前方への移動が制限される。さらに、前棚１と後棚２を重ねることで連続した面を設けることにより、前棚１と後棚２の接合部の強度を高めることができる。
また、図１の状態から図３状態へと前棚１の位置を移動させることにより、本説明の棚の下段に配置される棚上に前棚１の移動分の幅にて高さの高い物を収納することが可能となる。
【００１９】
また、図４は伸縮自在棚の前棚１を前方に配置した状態にて前棚１の前端部に板金製の補強部材７を装着した構成の斜視図を示す。棚受けレール３の段差部３ｋにより、伸縮自在棚の前棚１と後棚２の幅違いによる棚受けレール３との隙を小さくでき、後棚２の前壁部２ｃと当接させるこで、後棚２の前方への移動を制限できる。
図５は伸縮自在棚の前棚１を後方に移動した状態を示す斜視図である。
【００２０】
さらに、図６は伸縮自在棚の前棚１と後棚２を重ねた状態にて棚受けレール３に挿入途中の状態の縦断側面図を示す。伸縮自在棚を棚受けレール３に組立てる場合に、伸縮自在棚の前棚１と後棚２を重ねた状態にて、棚受けレール３の段差部３ｋの後部に挿入して前棚１の案内形状１ａの後面が、棚受けレール３の切欠き部後端部３ｂに当接して前棚１の動きが制限され、後棚２の後端部２ｄを棚受けレール３のリブ３ｅに当接して後棚２を回転させるかたちにて、後棚２の前壁部２ｃが棚受けレール３の段差部３ｋの後部に挿入されるのと同時に、案内形状１ａの後面が棚受けレール３の切欠き部後端部３ｂに当接しながら、案内形状１ａが棚受けレール３の切欠き部３ａに挿入されて、前棚１は棚受けレール３に設置される。この作業が可能となるように、棚受けレール３の切欠き部３ａを配置する。
【００２１】
実施の形態２．
伸縮自在棚を構成する棚受けレール３を内箱４にて一体成形しても、実施の形態１と同じ構成が得られる。
【００２２】
実施の形態３．
上記の形態では冷蔵庫に配置される棚が一枚の場合を示したが、複数枚配置される場合でも、実施の形態１と同じ構成が得られる。
【００２３】
実施の形態４．
本発明の棚装置を冷蔵庫の最上段に配置することにより、前棚１を後方に移動させた状態にすることで、下方から収納品を入れる際、棚を下方から突き上げて棚が浮き上がってしまうことを防止できる。さらに最上段の棚に対して、対角にて手が届くため、最上段への収納がしやすくなる。
また、従来の回転軸をもつ伸縮自在棚では、回転させた場合に伸縮自在棚の上部を手が届かなくて元に戻せないという問題も生じない。
【００２４】
実施の形態５．
本発明の棚装置を複数の棚が配置され、棚の上下間隔の狭い冷蔵庫に配置することにより、従来の回転軸をもつ伸縮自在棚では、回転させた場合に上下に配置される棚に接触するという問題も生じなく、前棚１を後方に移動させた状態にて、収納品の接触による棚の浮き上がりのない伸縮自在の機構を有する棚装置を提供することができる。
【００２５】
実施の形態６．
上記の形態では、前棚１と後棚２の２枚の構成による伸縮自在棚を示したが、前後に３枚以上の棚から構成される前後に伸縮自在にて載置面積を選択可能とできる棚装置においても、実施の形態１と同じ構成が得られる。
【００２６】
【発明の効果】
以上説明したように、この発明によれば、庫内の前側から後側に向かう側壁に設けられ、途中に切欠き部を有する棚受けレール部と、棚受けレール上を移動可能に設けられた前棚と、前棚に設けられ、庫内に設置した場合に先端部が側壁に向かって突出して棚受けレールの下面と当接するように設けられ、前棚を後側に移動させた位置で先端部が切欠き部の後端部と重なる案内形状と、前棚の後側に設けられ、棚受けレール上を後方に移動した前棚が下側に入り込むことでそれぞれの載置面が重なる後棚とを有し、前棚と後棚が重なった状態で案内形状を記切欠き部に挿入することで、前棚及び後棚を棚受けレールに装着可能であるので、伸縮自在棚の棚受けレールからの外れを防止することができる。
【００２７】
【００２８】
また、前棚の前方移動時に、棚受けレールの切欠き部に当接するようストッパー形状を後棚下方に設けたので、後棚を不必要に前方に移動させることなく、前棚を前方に移動させることができる。
【００２９】
また、前棚の前方移動時に、後棚の前壁を当接させる棚受けレール段差部を設けたので、後棚を前方に移動させることなく、前棚を前方に移動させることができる。さらに、前棚と後棚の幅違いを棚受けレールの段差により、棚と棚受けレールとの隙を少なくでき、意匠性の良いものとなる。
【００３０】
また、前棚を前方に配置する状態に、前棚の後壁と後棚の前壁を当接させるので、前棚と後棚に連続した載置面をもたせることができる。さらに、前棚と後棚を重ねることにより、載置物に対する強度が高くなり、棚の変形、損傷等を防ぐことができる。
【００３１】
また、前棚の後方移動時に、後棚の後壁が当接するよう棚受けレールのレール上にストッパー形状を設けたので、後棚を庫内背面の壁に衝突させることを防ぐことができる。さらに、伸縮自在棚を棚受けレールに組立てる場合の支点となり、後棚の棚受けレールの段差部への挿入性を良くすることができる。
【図面の簡単な説明】
【図１】  この発明の実施の形態１による伸縮自在棚の前棚を後方に移動した状態を示す縦断側面図。
【図２】  この発明の実施の形態１よる前棚の案内形状と棚受けレールの係合部の図３中のＸ−Ｘ断面図。
【図３】  この発明の実施の形態１による伸縮自在棚の前棚を前方に移動した状態を示す縦断側面図。
【図４】  この発明の実施の形態１による伸縮自在棚の前棚を前方に移動した状態を示す斜視図。
【図５】  この発明の実施の形態１による伸縮自在棚の前棚を後方に移動した状態を示す斜視図。
【図６】  この発明の実施の形態１による伸縮自在棚の前棚と後棚を重ねた状態にて棚受けレールに挿入途中の状態を示す縦断側面図。
【図７】  従来の伸縮自在棚の前棚を前方に移動した状態の縦断側面図。
【図８】  従来の伸縮自在棚の前棚を後方に移動した状態の縦断側面図。
【符号の説明】
１．前棚    １ａ．案内形状    １ｂ．レール係合部    ２．後棚  ２ｂ．ストッパー形状    ２ｃ．前壁部    ２ｄ．後端部    ３．棚受けレール    ３ａ．切欠き部    ３ｂ．切欠き部後端部    ３ｅ．ストッパーリブ    ３ｇ．風路間口    ３ｈ．風路間口    ３ｋ．棚受けレール段差部。
【図１】
0004366832.tif 000002
【図２】
0004366832.tif 000003
【図３】
0004366832.tif 000004
【図４】
0004366832.tif 000005
【図５】
0004366832.tif 000006
【図６】
0004366832.tif 000007
【図７】
0004366832.tif 000008
【図８】
0004366832.tif 000009